(57)【要約】【課題】小型化，薄型化が可能な配置構造を有するカメラを提供すること。【解決手段】本カメラ１は、前カバー２，中カバー３，後カバー４に収納される主要構成部材として、フレーム６と、撮影光学系およびＣＣＤを内蔵する鏡枠ユニット７と、電池室を形成する電池室板１１と、表示モニタであるＬＣＤユニット８と、メインコンデンサ２５と、サブ基板１７と、メディアスロット１６が実装されるメイン基板１５とを有してなる。鏡枠ユニット７と電池室板１１とはフレーム６の右側の第一領域部６ａ前面に保持され、ＬＣＤユニット８は第一領域部６ａの裏面６ｂ側に配され、メインコンデンサ２５とサブ基板１７とは、フレーム６の左側の第二領域部６ｃ前方に配され、メイン基板１５は、電池室の鏡枠ユニットの前方にフーム６に固着した状態で配置されており、カメラ１によれば、小型化，薄型化が実現できる。【選択図】図１１
2005215079.tif 000002
【特許請求の範囲】
【請求項１】
板状の基台と、
上記基台の第一の領域の一方の面側に配される鏡枠ユニットと、
上記基台の第一の領域の他方の面側であって少なくともその一部が上記鏡枠ユニットが配される位置の反対側を覆うように配される表示ユニットと、
上記基台に設けられ、上記表示ユニットが配される側へ屈曲するようにして形成される段差部と、
上記段差部により上記第一の領域と区分けされる上記基台の第二の領域の一方の面側に配される電気部品と、
を具備することを特徴とするカメラ。
【請求項２】
上記段差部は、上記表示ユニットの厚さと略同じ寸法の段差であることを特徴とする請求項１に記載のカメラ。
【請求項３】
上記第二の領域は、上記カメラのグリップ側部に配されており、上記電気部品は操作部材の操作を検出するスイッチを含むことを特徴とする請求項１に記載のカメラ。
【請求項４】
上記操作部材は、上記カメラのグリップ側の側面部に配されることを特徴とする請求項３に記載のカメラ。
【請求項５】
上記操作部材は、非撮影動作を指示するための操作部材であることを特徴とする請求項４に記載のカメラ。
【発明の詳細な説明】
【技術分野】
【０００１】
本発明は、カメラの配置構造に関する。
【背景技術】
【０００２】
従来、カメラの配置構造に関して特許文献１に開示されたデジタルスチルカメラ（電子カメラ）では、固体撮像素子が実装される電気基板を記録媒体を保持する保持部材に取り付けた構造が採用されている。また、特許文献２に開示された電子撮像装置では、固体撮像素子が実装される電気基板にレンズ鏡筒とモニタとを取り付けた構造が採用されている。
【０００３】
ところで、デジタルカメラにおいては、撮影像等を表示するための表示装置が配されることが多い。しかし、この表示装置は比較的大きく、カメラを小型化する上でレイアウト上、種々の工夫が必要となる。
【特許文献１】特許文献１は、特開平６−８６１２０号公報である。
【特許文献２】特許文献２は、特開２００３−７８７９７号公報である。
【発明の開示】
【発明が解決しようとする課題】
【０００４】
上述した特許文献１では、保持部材に電気基板を取り付ける旨が記載されているが、上記表示装置を含めた配置に関する提案はなされていない。一方、特許文献２に示されるものでは、電気基板の表面、裏面にレンズ鏡筒及びモニタとを単に取り付けるようにだけの配置構造を有しており、上記電気基板の両側に上記レンズ鏡筒、モニタが配されることになり、カメラの小型化，薄形化上、必ずしも好ましい配置とはいえない。
【０００５】
一方、カメラの小型化，薄形化を図るためには、金属のプレス部品を多用することになるが、電気的な問題から各プレス部品をすべてアースさせる必要があり、そのために多くのスペースが必要となり、十分な小型化が図れず、しかも、アースをとる手間もかかるといった問題があった。
【０００６】
さらに、小型化または薄形化されたカメラにおいては、カメラグリップ側近傍に接近してスイッチ操作釦が配置されることになるが、片手でホールドして撮影を行う場合、誤操作を避けるために撮影時に操作される操作釦以外を操作しないような配慮が必要である。
【０００７】
本発明は、上記の点に鑑みてなされたものであり、小型化，薄形が可能な配置構造を有するカメラを提供することを目的とする。また、本発明は、操作性のよいカメラを提供することを目的とする。
【課題を解決するための手段】
【０００８】
本発明の請求項１記載のカメラは、板状の基台と、上記基台の第一の領域の一方の面側に配される鏡枠ユニットと、上記基台の第一の領域の他方の面側であって少なくともその一部が上記鏡枠ユニットが配される位置の反対側を覆うように配される表示ユニットと、上記基台に設けられ、上記表示ユニットが配される側へ屈曲するようにして形成される段差部と、上記段差部により上記第一の領域と区分けされる上記基台の第二の領域の一方の面側に配される電気部品とを具備する。
【０００９】
本発明の請求項２のカメラは、請求項１に記載のカメラにおいて、上記段差部は、上記表示ユニットの厚さと略同じ寸法の段差である。
【００１０】
本発明の請求項３のカメラは、請求項１に記載のカメラにおいて、上記第二の領域は、上記カメラのグリップ側部に配されており、上記電気部品は操作部材の操作を検出するスイッチを含む。
【００１１】
本発明の請求項４に記載のカメラは、請求項３に記載のカメラにおいて、上記操作部材は、上記カメラのグリップ側の側面部に配される。
【００１２】
本発明の請求項５に記載のカメラは、請求項４に記載のカメラにおいて、上記操作部材は、非撮影動作を指示するための操作部材である。
【発明の効果】
【００１３】
本発明によれば、薄型，小型化が可能で、さらには、操作性もよい配置構造を有するカメラを提供することができる。
【発明を実施するための最良の形態】
【００１４】
以下、図を用いて本発明の実施形態を説明する。  
図１，２は、本発明の一実施形態であるカメラの外観を示す図であって、図１は、カメラ前面側からみた斜視図であり、図２は、カメラ背面側からみた斜視図である。図３は、上記カメラの正面図であり、一部、回転スイッチ部まわりを断面で示す。図４は、上記カメラの平面図である。図５は、上記カメラの左側面図である。図６は、図１のＡ矢視図であって、回転スイッチ部まわりの外観を示す。図７は、上記カメラを背面からみた図であって、上記カメラを右手でホールドした撮影時の状態を示す。
【００１５】
なお、以下の説明においては、カメラの前後方向に関して被写体側方向を前方（図中、＋Ｚ方向）とし、その逆（背面側）方向を後方とする。また、カメラの上下方向に関して図中、＋Ｙ方向を上方向とする。さらに、カメラの左右方向に関しては、前面側からみた左右方向で示す。すなわち、図中、＋Ｘ方向を右方向とする。上記Ｘ，Ｙ，Ｚ方向は、互いに直交する方向である。そして、Ｚ方向は、撮影光学系の入射光の第一の光軸Ｏ1 と平行な方向である。なお、上記撮影光学系の入射光は、鏡枠ユニット内で撮像素子側である下方（−Ｙ方向）に向け、第二の光軸Ｏ2 に向けて屈折されるものとする。
【００１６】
本実施形態のカメラ１は、被写体画像を電気的撮像信号に変換する撮像素子を内蔵し、画像記録用メディアが着脱可能なデジタルカメラであり、図１，２に示すように各カメラ内蔵部材を内部に収納する外装部材として前カバー２と、中カバー３と、後カバー４とを有している。
【００１７】
前カバー２には前面部に前面パネル５２が固着され、上方前面部右側に撮影光の入射部に配され、前枠５３に保持される保護ガラス５４と、上方前面中央部にストロボ窓部５５とが設けられる。
【００１８】
中カバー３は、帯状枠形状を有する部材であって、前カバー２と後カバー４に挟持された状態で保持される。この中カバー３には盛り上がって形成される左上辺凸部３ｃにレリーズスイッチ４６（後述）の操作用レリーズ釦３１と、右上辺にマイクロフォン穴部３ｊとが配される。カメラグリップ側である左辺の左辺端面３ｓに操作部材であるキャンセル釦３３，操作部材であるパワースイッチ釦３４とが配され、それらの釦３３，３４の間の位置に操作部材であるモード選択釦３５が配されている。
【００１９】
さらに、中カバー３の上辺と左辺との２つの外装面が交差する稜部に形成される稜部曲面（Ｚ方向に平行な曲面）３ｖに設けられる開口部３ａに回転操作部材である回転ダイヤル２０が配される。また、中カバー３の右辺側面には吊り環３２が固着されている。
【００２０】
後カバー４には背面部に後面パネル５６が固着され、後面パネル５６を避けたカメラグリップ側である左側上方位置に一対のズーム釦５７，５８が配されている。後面パネル５６の右寄り部分の広い範囲が透明なＬＣＤ表示領域部５６ａとなっており、該領域にて後述する表示ＬＣＤ８の表示画面が観察可能である。後面パネル５６のＬＣＤ表示領域部５６ａの左側のカメラグリップ部には多数個からなるグリップ滑り止め用の小さい凹部群５６ｂが設けられている。但し、下側の幾つかは、スピーカー用貫通穴となっている。
【００２１】
後カバー４に配されるズーム釦５７，５８は、後述するプッシュタイプのタクトスイッチ４７，４８をオンオフ操作するための操作釦であって、それらの釦の押圧操作によって、テレ、または、ワイドへの撮影レンズのズーミングが行われる。
【００２２】
中カバー３の左辺端面３ｓ上に配されるキャンセル釦３３とパワースイッチ釦３４は、後述するプッシュタイプのタクトスイッチ４９，５０をオンオフ操作するための押圧操作釦である。パワースイッチ釦３４は、カメラの電源のオンオフ操作用の操作部材であり、キャンセル釦３３は、直前に設定された内容をキャンセルする操作用の操作部材である。モード選択釦３５は、上下方向の３位置にスライド操作可能な後述するスライドスイッチ５１の操作用の操作部材であって、カメラの静止画撮影モードと再生モードと動画撮影モードを選択するための操作釦である。
【００２３】
回転ダイヤル２０は、回転スイッチ１８（図３）を操作するためのダイヤルであり、回転スイッチ１８とともに回転スイッチケース１９に保持され、その回転スイッチケース１９は、後述するように後カバー４内部にビス９Ｉにより取り付けられている。そして、回転ダイヤル２０は、上記稜部曲面３ｖに平行な軸２０ａ（図１０）まわりの回転操作と、平行な軸２０ａと直交するカメラ内側へのＳ方向（図３）へのクリック操作（押圧操作）とが可能である。なお、回転ダイヤル２０の外周面部は、所定厚みのゴム素材で形成されている。回転ダイヤル２０の最初の上記Ｓ方向へのクリック操作によって設定メニューが表示され、続いて、回転操作によってメニューの１つが選択され、その後のクリック操作によって選択したモードが決定される。
【００２４】
図１，４に示すようにキャンセル釦３３とパワースイッチ釦３４が配されている中カバー３の左辺端面３ｓは、前カバー２，後カバー４の中カバー３との左辺接合部Ｃ1 ，Ｃ2 よりわずかに盛り上がった端面位置にある。キャンセル釦３３とパワースイッチ釦３４は、左辺端面３ｓからわずかに凹んだ位置に挿入配置され、それらの釦表面が左辺端面３ｓとほぼ同一、または、それよりわずかに内側に位置するように配置される。モード選択釦３５もその釦表面が左辺端面３ｓとほぼ同一面に位置するように配置される。
【００２５】
前カバー２と後カバー４の左側端部には中カバー３との左辺接合部Ｃ1 ，Ｃ2 より傾斜しながら外側に盛り上がっており、中カバー３の左辺端面３ｓの左方向位置近くまで突出する傾斜面状の盛り上がり凸部２ｅ，４ｋが形成されている。
【００２６】
図１，６と後述する図１５（Ａ）等に示すように回転ダイヤル２０は、中カバー３の上辺と左辺の稜部曲面３ｖの開口部３ａに配置されるが、その回転ダイヤル２０の表面は、中カバー３の稜部曲面３ｖより突出して配置されている。また、前カバー２と後カバー４の上辺と左辺の稜部には中カバー３の稜部曲面３ｖとの稜部接合部Ｃ3 ，Ｃ4 から斜め上方（回転ダイヤル２０の外径方向）に傾斜面状の盛り上がり凸部２ｆ，４ｍが形成されている。
【００２７】
レリーズ釦３１とズーム釦５７，５８とは、撮影時に操作されるべき第一操作釦グループを構成し、キャンセル釦３３とパワースイッチ釦３４とモード選択釦３５と回転ダイヤル２０とは、非撮影時に操作されるべき第二操作釦グループを構成する。
【００２８】
上述した各操作釦の配置によると、撮影時にカメラ１の左側グリップ部を右手でホールドした状態では、図７に示すように人差し指でレリーズ釦３１が押圧操作が可能であり、親指でズーム釦５７，５８も押圧操作が可能である。しかし、非撮影時に使用されるキャンセル釦３３，パワースイッチ釦３４およびモード選択釦３５の押圧操作、または、スライド操作等は困難である。勿論、非撮影時、図７のホールド状態以外のカメラ保持状態では、キャンセル釦３３，パワースイッチ釦３４，モード選択釦３５および回転ダイヤル２０は、盛り上がり凸部２ｅ，４ｋや２ｆ，４ｍの内側に配されており、操作が容易である。なお、非撮影時に操作されるべき操作釦３３Ａを、例えば、図７のようにカメラの左側背面のグリップ部側上部に配置すると、撮影時に親指等で操作釦３３Ａが不用意に押圧されて誤操作される可能性がある。
【００２９】
次に、本実施形態のカメラ１の内部に収納される各構成部材の詳細な配置について説明する。  
図８は、本実施形態のカメラの主要構成部材を示す分解斜視図である。図９は、上記カメラの中カバーおよびベースフレームに組み付けられる各スイッチ関連部材の分解斜視図である。図１０は、上記カメラの配置を示すＸＹ平面に沿った断面図である。図１１は、上記カメラの配置を示すＸＺ平面に沿った断面図である。図１２は、上記カメラの配置を示す撮影光学系の光軸を通るＹＺ平面に沿った縦断面図である。図１３は、上記カメラの配置を示す中央部のＹＺ平面に沿った断面図である。図１４は、上記カメラの左側のメインコンデンサ，サブ基板まわりのＸＺ平面に沿った部分拡大断面図である。図１５（Ａ），（Ｂ）は、中カバー３，後カバー４へ組み込まれた回転スイッチを示すＸＹ平面に沿った部分拡大断面図であり、図１５（Ａ）は、回転ダイヤルの非操作状態を示し、図１５（Ｂ）は、回転ダイヤル押圧操作状態を示す。
【００３０】
図８に示すように本実施形態のカメラ１は、主要構成部として上述した前カバー２，中カバー３，後カバー４の他に、ストロボユニット５と、板状の基台であるベースフレーム６と、鏡枠ユニット７と、ＴＦＴタイプＬＣＤを有する表示ユニットであるＬＣＤユニット８と、電池１０が装填可能な電池室板１１と、電池室蓋１２と、メイン基板１５と、電気部品であるサブ基板１７と、電気部品である回転スイッチ１８と、メディアスロット１６と、電気部品であるストロボ発光用のメインコンデンサ２５と、電気部品であるスイッチＦＰＣ（フレキシブル基板）４５と、スピーカー２２と、マイクロフォン３９、および、各接続用ＦＰＣ等を有してなる。
【００３１】
前カバー２にはその前面に前パネル５２が固着されており、上述したように前面上部の右側に鏡枠ユニット７の第一の光軸Ｏ1 位置に前枠５３に保持された保護ガラス５４が配され、その左側にストロボ窓部５５が配されている。なお、前枠５３には、レンズキャップ１４４が着脱可能である（図１２）。
【００３２】
中カバー３には下辺部に電池室開口部３ｉを開閉する電池室蓋１２が回動自在に組み付けられ、他の機器ともいうべきクレードルと接続するためのコネクタ（接点）２７が固着される。上辺部にレリーズ釦３１と、マイクロフォン３９と、ストロボ用トリガコイル４０とが配され、右辺部に吊り環３２が位置決め穴３ｐで位置決めされた状態で押さえ板３２ａを介して取り付けられる。中カバー３の左辺部には上述したようにキャンセル釦３３，パワースイッチ釦３４，モード選択釦３５が装着される。
【００３３】
レリーズ釦３１は、図１０に示すように内部にガイド軸部３１ａと押圧突起部３１ｂを有しており、中カバー３の上部のガイド穴にてガイド軸部３１ａを介して摺動自在に支持されている。そして、レリーズ釦３１は、ガイド軸部３１ａの外周に戻しバネ３１ｃが組み込まれ、上方に付勢されており、押圧突起部３１ｂを介してレリーズスイッチ４６の押圧操作が可能である。
【００３４】
電池室蓋１２は、中カバー３の電池室開口部３ｉに回動軸１４に回動、かつ、スライド自在に支持される。電池室蓋１２を開放する場合、図１３に示すように一旦閉位置Ｐａからカメラ前方へのスライド位置Ｐｂへに引き出てから下方の開放位置Ｐｃに回動させることができる。なお、電池室蓋１２の開閉状態は、電池室蓋１２のスライド位置をメイン基板１５に実装された電池蓋開閉検出スイッチ６０によって検出される。また、電池室蓋１２の開放状態で電池室開口部３ｉより電池１０、および、記録メディアは、上，下方向（Ｙ方向）に着脱可能である。
【００３５】
キャンセル釦３３，パワースイッチ釦３４は、図９，１０に示すように中カバー３の釦挿入口３ｄ，３ｅに挿入され、釦３３，３４の凸部３３ａ，３４ａを釦付勢用スイッチバネ板３６の穴３６ｂ，３６ｃに挿入固着される。スイッチバネ板３６は、Ｕ部３６ａを介して中カバーのスイッチバネ板取り付け部３ｋにて固着されている。スイッチバネ板３６によりキャンセル釦３３，パワースイッチ釦３４は、外側に付勢された状態で押圧操作可能に支持される。
【００３６】
モード選択釦３５は、図９，１０に示すように中カバー３の釦挿入口３ｆに挿入され、該釦３５のネジ穴３５ａにスイッチ板３７の穴３７ａを挿通させたビス９Ｌを螺着することによってスイッチバネ板３６と固着される。モード選択釦３５は、スイッチバネ板３６の固着により釦挿入口３ｆにて上下方向にスライド操作可能に支持される。
【００３７】
後カバー４には内側右寄り部分にその表示面がＸＹ平面に沿った状態のＬＣＤユニット８がビス９Ｑにより固着される。ＬＣＤユニット８の左側の左下方部にスピーカー２２が装着される。左側背面上部の釦開口部に外方側からズーム釦５７，５８が挿入され、釦付勢用スイッチ板を介して支持されており、ズーム釦５７，５８は、該スイッチ板により後方に付勢され、背面側より押圧操作可能である。
【００３８】
メイン基板１５は、背面側にメディアスロット１６と電池蓋開閉検出スイッチ６０とが実装されている。前面部にはサブコネクタ２１Ａ，スイッチコネクタ２１Ｂ，鏡枠用コネクタ２１Ｄ，２１Ｅ，クレードルコネクタ２１Ｆ，ＩＷコネクタ２１Ｇ等が実装されている。なお、メディアスロット１６のメディア挿入口は、組み立て状態で下方の中カバー３の電池室開口部３ｉ側に対向して位置するように配置される。
【００３９】
電池室板１１は、電池１０が挿入可能であって、厚み方向がＺ方向である電池室を形成するコの字状（溝型）折り曲げ板部材であって、左側端部にビス挿通穴１１ａと、右側端部に２カ所の取り付け用凸部１１ｂとを有している。
【００４０】
鏡枠ユニット７は、鏡枠本体６１に組み込まれ、屈折撮影光軸である第一，二の光軸Ｏ1 ，Ｏ2 をもつ撮影光学系と撮像素子のＣＣＤユニットとを有する（図１２）。なお、鏡枠本体６１にはその背面部にベースフレーム６に対する位置決めピン６１ｔ，６１ｕが設けられている（図１２）。
【００４１】
上記撮影光学系は、光軸Ｏ1 ，Ｏ2 を有する第一光学系と、光軸Ｏ2 を有する第二，三，四光学系からなる。なお、光軸Ｏ1 は、被写体に向かう光軸Ｏであり、光軸Ｏ2 は、光軸Ｏ1 を下方に略９０°折り曲げた光軸Ｏである。第一光学系は、撮影光入射側の鏡枠上方に位置する第一群枠７１に保持される第一群前レンズ１５１と、プリズム１５２と、第一群後レンズ１５３とを有してなる。第二光学系は、第二群枠７２に保持される第二群レンズ１５４とを有してなる。第三光学系は、第三群枠７３に保持される第三群レンズ１５５とを有してなる。第四光学系は、鏡枠本体６１に直接保持される第四群レンズ１５６を有してなる。なお、第三群レンズ１５５と第四群レンズ１５６との間には、ＮＤフィルタ９３が配される。そして、第一群前レンズ１５１の被写体側前面には、前枠に保持される保護ガラス５４と、前枠５３に着脱自在のレンズキャップ１４４とが配される。
【００４２】
上記ＣＣＤユニットは、光軸Ｏ2 の下方位置に配され、光学フィルタ１５７と、ＣＣＤ１３１と、ＣＣＤ用ＦＰＣ１４２とを有してなる。ＣＣＤ１３１の下方部にはシールド板１４３が配されている。
【００４３】
スイッチＦＰＣ４５は、およそコの字状（溝型形状）の折り曲げ形状を有しており、ＹＺ面に平行な中央平面部には外側に電気部品であるタクトスイッチ４９，５０が実装され、その中央平面部から傾斜して折り曲げられた平面部に電気部品であるスライドスイッチ５１が実装されている。後方面上部の折り曲げ部にはタクトスイッチ４７，４８が実装されており、さらに、その上部にレリーズスイッチ４６が実装されている。
【００４４】
回転スイッチ１８は、サブ基板１７が固着された回転スイッチケース１９を有し、該スイッチケースに組み込まれ、回転，押圧可能な操作部材として回転ダイヤル２０を有している。
【００４５】
ストロボユニット５は、傘支持台４３と、傘支持台４３に支持される反射傘４１と、反射傘４１に取り付けられるストロボ発光管４２とからなる。
【００４６】
ベースフレーム６は、金属板を折り曲げて形成される板部材であって、図８，９に示すように主にそれぞれが折り曲げにより形成される平面であって、左側に形成される第一領域部（前面側，第一の領域の一方の面側）６ａおよびその裏面である第一領域部裏面（背面側，第一の領域の他方の面側）６ｂと、第一領域部６ａの左側から後方に屈曲して形成される段差部６ｓと、段差部６ｓから左側に屈曲して第一の領域と平行に形成される第二領域部（第一の領域と区分けされる第二の領域の一方の面側）６ｃと、第二領域部６ｃの左端から前方側に屈曲してＹＺ面と平行に形成される左端立ち上げ部６ｄとを有している。第一領域部６ａと第二領域部６ｃとは、それぞれＸＹ平面に平行な平面とする。段差部６ｓの段差ｔは、ＬＣＤユニット８の厚みにおよそ等しい。
【００４７】
ベースフレーム６の第一領域部６ａの平面部（ＸＹ面）には右方部に位置決め穴６ｈ，６ｇ，６ｉと、中央部に係止凸部６ｋと、左方部にビス穴（ネジ穴）６ｊと、上方部に取り付け穴６ｔとが設けられる。第一領域部の右端部から前方に段差曲げされた平面部（ＸＹ面）にビス挿通穴６ｆが設けられる。第一領域部６ａの中央部から前方側へ立ち曲げされた平面部（ＸＹ面）にビス穴６ｍが設けられる。第一領域部６ａから前本枠側に立ち曲げされた平面部（ＸＺ面）６ｒに２つの位置決め穴が設けられる。第二領域部６ｃの平面部（ＸＹ面）には上方部にビス挿通穴６ｅが設けられる。第二領域部６ｃの上部にて前方側に段差曲げされた平面部（ＸＹ面）に２つの位置決めピン６ｑが設けられる。左端立ち曲げ部（ＹＺ面）６ｄには位置決めピン６ｐが設けられ、左端立ち曲げ部６ｄの下方先端部にて内側へ折り曲げされた平面部（ＸＹ面）にビス穴６ｎが設けられる。
【００４８】
ベースフレーム６には電池室板１１，メイン基板１５，スイッチＦＰＣ４５，電池押さえ４４，ストロボユニット５等が取り付けられる。すなわち、電池室板１１は、凸部１１ｂを係止凸部６ｋに係合させた状態でビス挿通穴１１ａを挿通させたビス９Ｐをビス穴６ｊに螺着してベースフレーム６の第一領域部６ａ前面左側に取り付けられる。さらに、ベースフレーム６には上方部位置にストロボユニット５と、電池接片４４ａおよび電池バネ４４ｂを有する電池押さえ４４とが取り付け穴６ｔを介して取り付けられる。
【００４９】
メイン基板１５は、ビス挿通穴１５ａ，切り欠き１５ｂを挿通させたビス９Ｊ，９Ｋをビス穴６ｍ，６ｎに螺着してベースフレーム６の前方部にＸＹ面に平行な状態で取り付けられる。
【００５０】
スイッチＦＰＣ４５は、位置決めピン６ｐ，６ｑにスイッチＦＰＣ４５の位置決め穴４５ａ，４５ｂをそれぞれ嵌入させて位置決めし、ベースフレーム６の左端立ち曲げ部６ｄの外側と第二領域部６ｃとの裏側に両面テープなどで固定される。上記スイッチＦＰＣ４５の固定状態では、タクトスイッチ４７，４８が第二領域部６ｃの上方折り曲げ部裏面の位置に、また、タクトスイッチ４９，５０が立ち曲げ部６ｄ外面の位置に，スライドスイッチ５１が立ち曲げ部６ｄに形成される傾斜面の位置に、さらに、レリーズスイッチ４６が上部の立ち曲げ平面部６ｒの所定位置にそれぞれ配置される。
【００５１】
電池押さえ４４は、ベースフレーム６の第一領域部６ａの上方の取り付け穴６ｔにボス部を嵌入した状態でビス９Ｎを螺着して固着される（図１３）。
【００５２】
ストロボユニット５は、傘支持台４３を電池押さえ４４にビス９Ｍにより固定され、ベースフレーム６の第一領域部６ａの上方に組み付けられる（図１３）。
【００５３】
上記スイッチ，ストロボユニット，電池室板等の各部材が装着されたベースフレーム６は、後カバー４の位置決めピン４ｈに位置決め穴６ｈを嵌入させて位置決めし、ビス挿通穴６ｆ，６ｅを挿通させたビス９Ｈ，９Ｇをビス穴４ｉ，４ｇに螺着して後カバー４の内部に取り付けられる。
【００５４】
回転スイッチ１８は、サブ基板１７と一体化された状態で後カバー４の左側内側のボス部のビス穴４ｊに回転スイッチケース１９のビス挿通穴１９ａを挿通させたビス９Ｉを螺着することにより後カバー４に取り付けられる（図８，１０）。
【００５５】
上述した後カバー４の組み付け状態では、図１１に示すようにベースフレーム６の第一領域部裏面６ｂに対向し、段差部６ｓの段差ｔにＬＣＤユニット８が位置し、裏面６ｂを覆うようにな状態となる。なお、ＬＣＤユニット８は、防塵シート枠５９を介した状態で後パネル５６に当接している。
【００５６】
各構成部材間の電気接続を行う各ＦＰＣは、メイン基板１５，サブ基板１７のそれぞれのコネクタに接続される。すなわち、メイン基板１５のサブコネクタ２１Ａ，スイッチコネクタ２１Ｂ，鏡枠用コネクタ２１Ｄ，２１Ｅ，クレードルコネクタ２１Ｆ，ＩＷコネクタ２１Ｇにそれぞれサブ基板ＦＰＣ２６，スイッチＦＰＣ４５，ＣＣＤ用ＦＰＣ１４２等の鏡枠関係ＦＰＣ，クレードルＦＰＣ２８等が接続される。さらに、サブ基板１７のＬＣＤコネクタ２１Ｈ，ＢＬコネクタ２１Ｊ，サブコネクタ２１ＫのそれぞれにＬＣＤ用ＦＰＣ２３，ＢＬ用ＦＰＣ２４，サブ基板ＦＰＣ２６が接続される。
【００５７】
後カバー４の中カバー３への組み合わせ結合に際して、鏡枠ユニット７は、後カバー４取り付けられているベースフレーム６の第一領域部６ａ前面右側に鏡枠本体６１の位置決めピン６１ｔ，６１ｕを位置決め穴６ｇ，６ｉに嵌入させて位置決めして保持され（図１２）、メインコンデンサ２５は、ベースフレーム６の第二領域部６ｃ前方にてコンデンサ支持部６ｕとベースフレーム６の立ち曲げ部６ｄの傾斜面に挟まれた状態で保持される（図１１）。
【００５８】
鏡枠ユニット７，メインコンデンサ２５が位置決め保持された状態の後カバー４は、中カバー３に組み合わせ結合される。そのとき、回転スイッチ１８の回転ダイヤル２０は、中カバー３の開口部３ａを挿通させてダイヤル外周部を外方に露呈した状態とする。
【００５９】
中カバー３の前面側には、前カバー２が組み合わせて接合される。この接合状態で鏡枠ユニット７は、上述した位置決め状態で前カバー２とベースフレーム６とで挟持されて保持される。
【００６０】
上記各カバーの接合状態にてビス９Ａ，９Ｂ，９Ｃ，９Ｄを中カバー３と後カバー４との右，左面側からビス挿通穴３ｍ，３ｎ，３ｇ，３ｈと、４ｃ，４ｄ，４ａ，４ｂを挿通させ、前カバー２のビス穴２ａ，２ｂ，２ｃ，２ｄに螺着する（図１０）。さらに、ビス９Ｅ，９Ｆを中カバー３と後カバー４との下面側からビス挿通穴４ｅ，４ｆを挿通させ、中カバー３のビス穴３ｒ，３ｑに螺着する。また、ビス９Ｒ，９Ｓを中カバー３のビス挿通穴３ｔ，３ｕを挿通させ、前カバー２のビス穴２ｇ，２ｈに螺着する。このようにして、後カバー４と中カバー３と前カバー２とは、一体結合状態となる。
【００６１】
上述した後カバー４と中カバー３と前カバー２の結合によりカメラ１としての組み立てが完了する。
【００６２】
上述したカメラ１において、ＸＹ断面上で図１０に示すようにカメラ右側に鏡枠ユニット７，中央部に電池室板１１で形成される電池室が配置され、左側にサブ基板１７およびメインコンデンサ２５が配置され、サブ基板上部に回転スイッチ１８が配置される。
【００６３】
また、ＸＺ断面、または、ＹＺ断面上でのカメラ１の配置としては、図１１，１３，１４に示すようにベースフレーム６の第一領域部６ａ前面に鏡枠ユニット７と電池１０が収納される電池室板１１で形成される電池室とが位置し、その裏面６ｂ側であって段差部６ｓの段差にＬＣＤユニット８が位置する。ベースフレーム６の第二領域部６ｃの前面側にＸＺ面に沿ったサブ基板１７とメインコンデンサ２５との電気部品が位置し、第二領域部６ｃの後面側にスピーカー２２が位置する。さらに、電池室の前面部にメディアスロット１６が位置する。また、電池室およびメインコンデンサ２５，サブ基板１７の前側にＸＺ面に沿ったメイン基板１５が位置している。メイン基板１５の上部、かつ、電池室前面位置にストロボユニット５が位置する。
【００６４】
鏡枠ユニット７の光軸Ｏ1 ，Ｏ2 を通る断面のＹＺ平面上では図１２に示すようにベースフレーム６の第一領域部６ａの前面に鏡枠ユニット７が配され、第一領域部裏面６ｂ後方にＬＣＤユニット８が配される。
【００６５】
そして、カメラ上面左側に配置されるレリーズ釦３１の下方位置にはレリーズスイッチ４６が位置している。カメラ左側（グリップ側）背面上部に配置されるズーム釦５７，５８の内方位置にはタクトスイッチ４７，４８が位置している。さらに、カメラ左側面に配置されるキャンセル釦３３，パワースイッチ釦３４の内方位置にはタクトスイッチ４９，５０が位置しており、同様にカメラ左側面に配置されるモード選択釦３５の内方位置にはスライドスイッチ５１が位置している。
【００６６】
撮影時において、レリーズ釦３１の押圧操作によりレリーズスイッチ４６のオン信号が出力され、また、ズーム釦５７，５８の押圧操作によりタクトスイッチ４７，４８のオン信号が出力される（図１０）。一方、非撮影時において、キャンセル釦３３，パワースイッチ釦３４の押圧操作によりタクトスイッチ４９，５０のオン信号が出力される。非撮影時のモード選択釦３５のスライド操作によって操作部３５ｂを介してスライドスイッチ５１がスライド駆動され、切り換え信号が出力される（図１１）。
【００６７】
また、回転スイッチ１８の回転ダイヤル２０は、カメラ上面と左側面の稜部に位置している。非撮影時、回転ダイヤル２０のＳ方向（図３）への押圧操作によって回転スイッチ１８よりオン信号が出力され、回転ダイヤル２０の回転方向の回転操作により回転スイッチ１８より回転位置に対応した切り換え信号が出力される。
【００６８】
回転ダイヤル２０が非操作状態（自由状態）にある時、図３，１５（Ａ）に示すように中カバー３の左上辺凸部３ｃは、その左方延長線が回転ダイヤル２０の外径の上端位置（凸量）よりわずかな寸法δだけ上方位置にあり、同時に中カバー３の左辺端面３ｓの上方への延長線は、回転ダイヤル２０の外径の左端位置（凸量）より少なくとも外側に位置する。従って、カメラ１に上方向、または、左方向からの衝撃力が作用したとしても回転ダイヤル２０に直接その衝撃力が作用しにくく、回転スイッチ１８が上記衝撃力から保護されることになる。
【００６９】
また、中カバー３の上辺と左辺の稜部曲面３ｖ上の開口部３ａ後側には曲面に沿ってわずかに外側に突出するダイヤル保護用凸部３ｂが設けられている。回転ダイヤル２０は、図１５（Ｂ）に示すようにＳ方向の所定ストロ−ク押圧されるが、その押圧状態でさらに、上記ストロ−ク以上の外力を受けた場合、回転ダイヤル２０の外周のゴムが押圧変形して、中カバー３のダイヤル保護用凸部３ｂで上記外力を受ける。従って、回転スイッチ１８に無理が力が作用せず、該スイッチ１８が保護される。
【００７０】
上述した本実施形態のカメラ１においては、非撮影状態で上記第二操作釦グループの操作して撮影モード等の設定が行われる。そして、カメラグリップ部をホールドした撮影状態では、上記第一操作釦グループを操作することにより、ズーミングが行われ、さらに、レリーズ指示がなされる。そのレリーズ指示にともなって鏡枠ユニット７の上記第一光学系〜第四光学系より取り込まれた被写体像のデータがＣＣＤ１３１にて撮像信号に変換され、撮像信号処理部（図示せず）を介してメディアスロット１６に装着されている記録メディアに記録される。
【００７１】
上述したように本実施形態のカメラ１によれば、ベースフレーム６に第一領域部６ａと第二領域部６ｃと、立ち曲げ部６ｄを設け、第一領域部６ａ前面に鏡枠ユニット７と、電池室板１１を配し、その裏面側にＬＣＤユニット８を配している。さらに、第二領域部６ｃ前方にメインコンデンサ２５およびサブ基板１７を配し、第二領域部６ｃの背面および立ち曲げ部６ｄに外側面に操作スイッチ部材を配置する。このような配置を採用したことによりデッドスペ−スが極めて少なくなり、カメラ外形の薄型化およびコンパクト化が実現できる。
【００７２】
また、カメラ１のグリップ側端部であって右手ホールド状態で手のひらが位置する中カバー３の左辺端面３ｓとその上方位置の稜部上とに非撮影動作指示のための操作を行う上記第二操作釦グループのキャンセル釦３３，パワースイッチ釦３４，モード選択釦３５および回転ダイヤル２０を配置する。さらに、それらの釦３３，３４，３５，２０の前後方向（厚み方向）の前カバー２，後カバー４には、盛り上がり凸部２ｅ，４ｋや２ｆ，４ｍが形成されている。そして、カメラ１のグリップ側端の上部および背面であって、右手ホールド状態で人差し指と親指とが位置する中カバー３の左上辺凸部３ｃと後カバー４の左側背面部とに撮影時に操作される上記第一操作釦グループのレリーズ釦３１とズーム釦５７，５８が配置されている。従って、グリップ部をホールドした状態では、撮影時に上記第一操作釦グループが操作しやすいが、上記第二操作釦グループは、操作できないので操作ミスが生じにくい。勿論、グリップ側をホールドしない非撮影状態であれば、上記第二操作釦グループの操作が容易であり、カメラとして使い勝手がよい。
【００７３】
さらに、回転ダイヤル２０の外径が中カバー３の左上辺凸部３ｃおよび左辺端面３ｓよりは外方に出ていないことから、回転ダイヤル２０は、その上方および左方側からの外力による衝撃を受けにくい。
【００７４】
また、回転ダイヤル２０がＳ方向（図１５（Ｂ））に所定のクリックストロ−ク以上の押圧外力を受けた場合、回転ダイヤル２０の外周のゴムが押圧変形するので中カバー３のダイヤル保護用凸部３ｂで上記外力を受けることになり、回転スイッチ１８に無理が力が作用せず、該スイッチ１８の破損が防止される。
【産業上の利用可能性】
【００７５】
本発明によるカメラは、カメラ外形が薄型化およびコンパクト化され、また、釦操作ミスの少ないカメラとして利用できる。
【図面の簡単な説明】
【００７６】
【図１】本発明の一実施形態であるカメラの前面側からみた斜視図である。
【図２】図１のカメラの背面側からみた斜視図である。
【図３】図１のカメラの正面図であり、回転スイッチ部まわりが断面で示される。
【図４】図１のカメラの平面図である。
【図５】図１のカメラのの左側面図である。
【図６】図１のＡ矢視図であって、回転スイッチ部まわりの外観を示す。
【図７】図１のカメラを背面からみた図であって、上記カメラを右手でホールドした撮影時の状態を示す。
【図８】図１のカメラの主要構成部材を示す分解斜視図である。
【図９】図１のカメラの中カバーおよびベースフレームに組み付けられる各スイッチ関連部材の分解斜視図である。
【図１０】図１のカメラの配置を示すＸＹ平面に沿った断面図である。
【図１１】図１のカメラの配置を示すＸＺ平面に沿った断面図である。
【図１２】図１のカメラの配置を示す撮影光学系の光軸を通るＹＺ平面に沿った断面図である。
【図１３】図１のカメラの配置を示す中央部のＹＺ平面に沿った断面図である。
【図１４】図１のカメラの左側のメインコンデンサ，サブ基板まわりのＸＺ平面に沿った部分拡大断面図である。
【図１５】図１のカメラの中カバー３，後カバー４へ組み込まれた回転スイッチを示すＸＹ平面に沿った部分拡大断面図であり、図１５（Ａ）は、回転ダイヤルの非操作状態を示し、図１５（Ｂ）は、回転ダイヤル押圧操作状態を示す。
【符号の説明】
【００７７】
６  …ベースフレーム（基台）
６ａ…第一領域部（第一の領域の一方の面側）
６ｂ…第一領域部の裏面側（第一の領域の他方の面側）
６ｃ…第二領域部（第二の領域）
６ｄ…立ち曲げ部（第二の領域）
６ｓ…段差部
７  …鏡枠ユニット
８  …ＬＣＤユニット（表示ユニット）
１７  …サブ基板（電気部品）
２５  …メインコンデンサ（電気部品）
３３  …キャンセル釦（操作部材）
３４  …パワースイッチ釦（操作部材）
３５  …モード選択釦（操作部材）
４９，５０
…タクトスイッチ（電気部品）
５１  …スライドスイッチ（電気部品）
代理人      弁理士    伊  藤    進
【図１】
2005215079.tif 000003
【図２】
2005215079.tif 000004
【図３】
2005215079.tif 000005
【図４】
2005215079.tif 000006
【図５】
2005215079.tif 000007
【図６】
2005215079.tif 000008
【図７】
2005215079.tif 000009
【図８】
2005215079.tif 000010
【図９】
2005215079.tif 000011
【図１０】
2005215079.tif 000012
【図１１】
2005215079.tif 000013
【図１２】
2005215079.tif 000014
【図１３】
2005215079.tif 000015
【図１４】
2005215079.tif 000016
【図１５】
2005215079.tif 000017